(57)【要約】【課題】ポンプロータの同期ずれが発生した場合であってもポンプロータ同士が接触するのを抑制することができる簡素な構造の真空ポンプを実現する。【解決手段】一実施形態によれば、真空ポンプであって、前記真空ポンプは、対向して配置された一対の軸と、前記一対の軸に設けられた一対のポンプロータと、前記一対の軸に設けられ、磁石の異磁極を対向させて直接磁気カップリングを形成する一対のモータロータと、前記一対の軸に設けられ、前記一対のポンプロータの同期をとるための一対のギヤと、を備え、前記一対のギヤの一方は、貫通孔を備え、固定部材により前記一対の軸の一方に固定され、前記一対のギヤの一方の表面には、前記貫通孔から半径方向に延びる溝が形成されている。【選択図】図１２
2020067032.tif 000002
【特許請求の範囲】
【請求項１】
真空ポンプであって、前記真空ポンプは、
対向して配置された一対の軸と、
前記一対の軸に設けられた一対のポンプロータと、
前記一対の軸に設けられ、磁石の異磁極を対向させて直接磁気カップリングを形成する一対のモータロータと、
前記一対の軸に設けられ、前記一対のポンプロータの同期をとるための一対のギヤと、を備え、
前記一対のギヤの一方は、貫通孔を備え、固定部材により前記一対の軸の一方に固定され、
前記一対のギヤの一方の表面には、前記貫通孔から半径方向に延びる溝が形成されている、
真空ポンプ。
【請求項２】
請求項１に記載の真空ポンプであって、
前記固定部材は、前記ギヤの前記溝に係合する突起部を有する、
真空ポンプ。
【請求項３】
請求項１または２に記載の真空ポンプであって、
前記一対の軸の一方は、前記ギヤの前記溝に係合する突起部を有する、
真空ポンプ。
【請求項４】
真空ポンプであって、前記真空ポンプは、
対向して配置された一対の軸と、
前記一対の軸に設けられた一対のポンプロータと、
前記一対の軸に設けられ、磁石の異磁極を対向させて直接磁気カップリングを形成する一対のモータロータと、
前記一対の軸に設けられ、前記一対のポンプロータの同期をとるための一対のギヤと、を備え、
前記一対のギヤの一方は、貫通孔を備え、固定部材により前記一対の軸の一方に固定され、
前記一対のギヤの一方の表面は、粗面化されている、
真空ポンプ。
【請求項５】
請求項１から４のいずれか一項に記載の真空ポンプであって、
前記ギヤの表面と前記固定部材との間に接着剤の層が存在する、
真空ポンプ。
【請求項６】
請求項１から５のいずれか一項に記載の真空ポンプであって、
前記一対のギヤの一方は、自己潤滑性のある材料で形成される、
真空ポンプ。
【請求項７】
請求項１から５のいずれか一項に記載の真空ポンプであって、
前記一対のギヤの一方は、樹脂で形成される、
真空ポンプ。
【請求項８】
請求項１から５のいずれか一項に記載の真空ポンプであって、
前記一対のギヤの一方は、表面に潤滑剤がコーティングされている、
真空ポンプ。
【請求項９】
請求項１から８のいずれか一項に記載の真空ポンプであって、
前記一対のギヤの他方は金属製である、
真空ポンプ。
【請求項１０】
請求項１から９のいずれか一項に記載の真空ポンプであって、
前記一対のギヤは、相互に非接触となるように前記一対のギヤの歯間のクリアランスが設定されており、
前記一対のギヤの歯間のクリアランスは、前記一対のポンプロータ間のクリアランスより小さく設定される、
真空ポンプ。
【請求項１１】
請求項１から１０のいずれか一項に記載の真空ポンプであって、
前記一対のモータロータの外周に配置された電機子をさらに備え、
前記電機子は、前記一対のモータロータの外周に所定の間隙を保って楕円状に配置される、
真空ポンプ。
【請求項１２】
請求項１から１１のいずれか一項に記載の真空ポンプであって、
前記一対のギヤは、潤滑剤が充填されていない空間に配置される、
真空ポンプ。
【請求項１３】
請求項１１に記載の真空ポンプであって、
前記一対のギヤは、前記一対のモータロータが配置されるポンプ室内に配置される、
真空ポンプ。
【請求項１４】
請求項１１に記載の真空ポンプであって、
前記一対のギヤは、前記一対のモータロータが配置されるモータ室内に配置される、
真空ポンプ。
【請求項１５】
対向して配置された一対の軸と、
前記一対の軸に設けられた一対のポンプロータと、
前記一対の軸に設けられ、磁石の異磁極を対向させて直接磁気カップリングを形成する一対のモータロータと、
前記一対の軸に設けられ、前記一対のポンプロータの同期をとるための一対のギヤと、を備え、
前記一対のギヤの一方は樹脂から形成され、前記一対のギヤの他方は金属から形成されている、真空ポンプの製造方法において、
前記樹脂から形成されたギヤの表面と固定部材との間に接着剤の層を形成して、前記樹脂から形成されたギヤを軸に固定する工程を含む、真空ポンプの製造方法。
【発明の詳細な説明】
【技術分野】
【０００１】
本発明は、真空ポンプおよび真空ポンプの製造方法に関する。
【背景技術】
【０００２】
真空ポンプは、容器内から気体を排出することによって容器内に負圧を形成するポンプである。真空ポンプには様々な種類がある。例えば、対向する一対の軸に設けられた一対のポンプロータを同期反転させることによって気体を排出する真空ポンプが知られている。
【０００３】
この真空ポンプは、永久磁石が外周に設けられたモータロータ、又は、永久磁石が内部に埋め込まれたモータロータ、を一対の軸それぞれに設け、モータロータの異磁極面によってステータコアを介して磁気カップリングを形成する。この真空ポンプは、モータロータ間の磁気カップリングを用いて、一対のポンプロータを同期反転させる。この真空ポンプは、ステーコアを介して磁気カップリングを形成するので、磁気回路が２軸間だけではなく片軸内でも構成され、その結果、磁気カップリング力が弱くなる。
【０００４】
そこで、一対のポンプロータの同期ずれを抑制するためのギヤが、一対の軸それぞれに取り付けられる。磁気カップリング力の弱さを補うためにギヤを用いて同期をとるので、ギヤへかかる荷重は比較的大きい。そのため、ギヤは、比較的大きな強度を保つために大型化する。さらに、ギヤの接触による摩耗などを抑制するために、モータ室及びポンプ室とは別に潤滑油などを充填した空間を設け、その空間内にギヤを設けることが考えられる。しかしながら、この態様は、真空ポンプの構造が複雑化し、かつ、真空ポンプが大型化する。
【０００５】
一方、磁気カップリング力を強くした真空ポンプも知られている。この真空ポンプは、永久磁石が外周に設けられたモータロータを一対の軸それぞれに取り付け、ステータコアを介さずにモータロータの異磁極面によって直接磁気カップリングを形成する。この真空ポンプによれば、ギヤを使用することなしに、２軸を同期反転させることができる。
【先行技術文献】
【特許文献】
【０００６】
【特許文献１】特開平８−３１９９６７号公報
【特許文献２】特開２００１−３７１７５号公報
【発明の概要】
【発明が解決しようとする課題】
【０００７】
しかしながら、上記の直接磁気カップリングを形成する真空ポンプは、使用方法等によっては、微小な固形物を吸引した場合に、ポンプロータ間の固形物の噛み込みなどによってポンプロータの同期ずれが発生し、ポンプロータ同士が接触する場合もあることが判明してきた。この場合には、例えば真空ポンプが停止に至るおそれがありうる。ＣＶＤ等の半導体製造工程においては、基板に対して成膜処理を行うための真空チャンバに連結される真空ポンプが急に停止してしまうことで基板にスクラップ等が発生してしまうこともありうる。また、固形物がポンプロータの回転力で排除されたとしても、ポンプロータが接触すると、ポンプロータに傷が生じる場合がある。この状態のまま運転を継続した場合、真空ポンプの性能が維持できなくなったり、真空ポンプが停止に至るおそれもありうる。
【０００８】
そこで、本願発明は、ポンプロータの同期ずれが発生した場合であってもポンプロータ
同士が接触するのを抑制することができる簡素な構造の真空ポンプおよび真空ポンプの製造方法を提供することを課題とする。
【課題を解決するための手段】
【０００９】
一実施形態によれば、真空ポンプであって、前記真空ポンプは、対向して配置された一対の軸と、前記一対の軸に設けられた一対のポンプロータと、前記一対の軸に設けられ、磁石の異磁極を対向させて直接磁気カップリングを形成する一対のモータロータと、前記一対の軸に設けられ、前記一対のポンプロータの同期をとるための一対のギヤと、を備え、前記一対のギヤの一方は、貫通孔を備え、固定部材により前記一対の軸の一方に固定され、前記一対のギヤの一方の表面には、前記貫通孔から半径方向に延びる溝が形成されている。
【図面の簡単な説明】
【００１０】
【図１】図１は、一実施形態の真空ポンプの概略断面図である。
【図２】図２は、一実施形態の駆動モータの構造を示す断面図である。
【図３】図３は、駆動モータの巻線の結線を示す図である。
【図４Ａ】図４Ａは、図３の結線の電流の流れを示す図である。
【図４Ｂ】図４Ｂは、図２の駆動モータの電機子巻線の電流の流れとポンプロータの回転を示す図である。
【図５Ａ】図５Ａは、図３の結線の電流の流れを示す図である。
【図５Ｂ】図５Ｂは、図２の駆動モータの電機子巻線の電流の流れとポンプロータの回転を示す図である。
【図６Ａ】図６Ａは、図３の結線の電流の流れを示す図である。
【図６Ｂ】図６Ｂは、図２の駆動モータの電機子巻線の電流の流れとポンプロータの回転を示す図である。
【図７Ａ】図７Ａは、図３の結線の電流の流れを示す図である。
【図７Ｂ】図７Ｂは、図２の駆動モータの電機子巻線の電流の流れとポンプロータの回転を示す図である。
【図８Ａ】図８Ａは、図３の結線の電流の流れを示す図である。
【図８Ｂ】図８Ｂは、図２の駆動モータの電機子巻線の電流の流れとポンプロータの回転を示す図である。
【図９Ａ】図９Ａは、図３の結線の電流の流れを示す図である。
【図９Ｂ】図９Ｂは、図２の駆動モータの電機子巻線の電流の流れとポンプロータの回転を示す図である。
【図１０】図１０は、ギヤの歯間のクリアランスを模式的に示す図である。
【図１１】図１１は、一実施形態による、一対のギヤの取り付け構造を示す平面図である。
【図１２】図１２は、図１１に示されるギヤの取り付け構造を矢印１２の方に見た断面図である。
【図１３】図１３は、図１１に示されるギヤを単体で示す平面図である。
【図１４】図１４は、一実施形態による、ギヤの取り付け構造を示す断面図である。
【図１５】図１５は、図１４に示されるギヤを単体で示す平面図である。
【図１６】図１６は、一実施形態による、ギヤの取り付け構造を示す断面図である。
【図１７】図１７は、図１６に示されるギヤを単体で示す平面図である。
【図１８】図１８は、一実施形態による、ギヤの取り付け構造を示す断面図である。
【図１９】図１９は、図１８に示されるギヤを単体で示す平面図である。
【図２０】図２０は、一実施形態による、真空ポンプの製造方法を示すフローチャートである。
【発明を実施するための形態】
【００１１】
以下、本願発明の一実施形態に係る真空ポンプ装置を図面に基づいて説明する。添付図面において、同一または類似の要素には同一または類似の参照符号が付され、各実施形態の説明において同一または類似の要素に関する重複する説明は省略することがある。また、各実施形態で示される特徴は、互いに矛盾しない限り他の実施形態にも適用可能である。
【００１２】
図１は、一実施形態の真空ポンプの概略断面図である。本実施形態は、真空ポンプの一例としてスクリュー真空ポンプを説明する。しかしながら、これに限らず、ルーツポンプなどの同期反転型の真空ポンプに本願発明を適用することができる。また、本実施形態の真空ポンプ１０００は、例えば、走査型電子顕微鏡の分析対象物を設置する空間の排気のために用いられる。しかしながら、真空ポンプ１０００は、これに限らず、例えば、半導体製造装置における排気のためなど様々な用途で用いられ得る。
【００１３】
図１に示すように、真空ポンプ１０００は、駆動モータ部２００と、駆動モータ部２００によって回転駆動される一対のポンプロータ部３００，４００と、を備える。
【００１４】
ポンプロータ部３００は、ポンプ主軸３１０と、ポンプ主軸３１０に取り付けられたスクリュー型のポンプロータ３１２と、を備える。
【００１５】
また、ポンプロータ部４００は、ポンプ主軸３１０に対向して配置されたポンプ主軸４１０と、ポンプ主軸４１０に取り付けられたスクリュー型のポンプロータ４１２と、を備える。ポンプロータ３１２とポンプロータ４１２は、互いに対向する。また、ポンプロータ３１２のスクリューとポンプロータ４１２のスクリューは、図１に示すように所定のクリアランスＳ１，Ｓ２を保って離間している。
【００１６】
ポンプロータ３１２及びポンプロータ４１２は、図示されていない上ケーシングと、下ケーシング３３０と、によって形成されるポンプ室５００内に配置される。
【００１７】
ポンプ主軸３１０，４１０の第１端部は、軸受３４０，４４０によって軸支される。一方、ポンプ主軸３１０，４１０は、駆動モータ部２００とポンプロータ部３００，４００との境界部分において、軸受３４２，４４２によって軸支されている。ポンプ主軸３１０，４１０の第２端部は、軸受３４２，４４２によって軸支された箇所から駆動モータ部２００の方へ突き出ている。
【００１８】
次に、駆動モータ部２００の構成について説明する。駆動モータ部２００は、モータロータ１１０，２１０と、固定子ヨーク１２０と、ギヤ３８０，４８０と、を備える。
【００１９】
モータロータ１１０，２１０はそれぞれ、ポンプ主軸３１０，４１０の第２端部に取り付けられる。モータロータ１１０とモータロータ２１０は、互いに対向する。固定子ヨーク１２０は、モータロータ１１０，２１０を取り囲む。
【００２０】
ギヤ３８０，４８０はそれぞれ、ポンプ主軸３１０，４１０に取り付けられる。ギヤ３８０とギヤ４８０は、互いに対向する。
【００２１】
モータロータ１１０，２１０、固定子ヨーク１２０、及び、ギヤ３８０，４８０は、モータフレーム１３０によって形成されるモータ室６００内に配置される。
【００２２】
次に、駆動モータ部２００について詳細に説明する。図２は、一実施形態の駆動モータの構造を示す断面図である。図３は、駆動モータの巻線の結線を示す図である。
【００２３】
モータロータ１１０，２１０は、その表面に永久磁石１１２，２１２が周設される。具体的には、本実施形態においては、永久磁石１１２，２１２の極対数はそれぞれ３であり、Ｓ，Ｎ，Ｓ，Ｎ，Ｓ，Ｎの６極がそれぞれのモータロータ１１０，２１０の周囲に設けられる。なお、本実施形態では、モータロータ１１０，２１０の表面に永久磁石１１２，２１２が周設されたＳＰＭ（Ｓｕｒｆａｃｅ  Ｐｅｒｍａｎｅｎｔ  Ｍａｇｎｅｔ）モータを備える真空ポンプを例示したが、本発明はこれには限定されない。例えば、永久磁石がモータロータの内部に埋め込まれているＩＰＭ（Ｉｎｔｅｒｉｏｒ  Ｐｅｒｍａｎｅｎｔ  Ｍａｇｎｅｔ）モータを備える真空ポンプに対しても、本発明を適用することができる。
【００２４】
固定子ヨーク１２０は、楕円状にモータロータ１１０，２１０を取り囲む。固定子ヨーク１２０には、複数の電機子１２２が設けられる。電機子１２２はそれぞれ、電機子鉄芯１２４と、電機子鉄芯１２４に巻き回された巻線１２６と、を備える。電機子１２２は、共通の固定子ヨーク１２０に嵌めこまれて位置決めされる。電機子１２２は、モータロータ１１０，２１０の外周面と所定の間隙δ１だけ離間して配置される。電機子１２２は、一対のモータロータ１１０，２１０の外周に所定の間隙を保って楕円状に配置される。
【００２５】
巻線１２６はそれぞれ、Ｕ，Ｖ，Ｗ，Ｕ´，Ｖ´，Ｗ´の６スロットに分割されている。ここで、Ｕ´はＵの逆相であり、Ｖ´はＶの逆相であり、Ｗ´はＷの逆相であることを示している。図３に示すように、Ｕ１，Ｕ２、Ｖ１、Ｖ２、及び、Ｗ１，Ｗ２は、直列に接続されており、等しいターン数の巻線である。Ｕ１，Ｕ１´，Ｖ１，Ｖ１´，Ｗ１，Ｗ１´の巻線と、Ｕ２，Ｕ２´，Ｖ２，Ｖ２´，Ｗ２，Ｗ２´の巻線は、対称線Ｂに対して対称に配置される。また、Ｕ１，Ｕ２，Ｖ１，Ｖ２，Ｗ１，Ｗ２の巻線と、Ｕ１´，Ｕ２´，Ｖ１´，Ｖ２´，Ｗ１´，Ｗ２´の巻線は、対称線Ｃに対して対称に配置される。ここで、巻線１２６は、図３に示すようにＵ１，Ｕ２が直列に接続され、その逆相であるＵ１´，Ｕ２´が直接に接続され、両者が並列に接続されてＵ相を構成している。Ｖ相及びＷ相についても同様であり、全体としてＵ，Ｖ，Ｗの各相がＹ形に結線される。
【００２６】
モータロータ１１０，２１０は、所定の軸間距離ｔを保って配置されている。モータロータ１１０，２１０にはそれぞれ、外周にＮ，Ｓ交互に且つ等間隔に６極に着磁された永久磁石１１２，２１２が設けられる。モータロータ１１０，２１０は、６極の永久磁石１１２，２１２のうち対称線Ｃを挟んで対向する２極ずつを磁気カップリングとして使用する。モータロータ１１０，２１０は、互いの異磁極面を対向させて磁気カップリングを形成し、互いに逆方向にのみ同期回転する。
【００２７】
モータロータ１１０，２１０は、外周同士が所定の間隙距離δ０を保って対向する。本実施形態の真空ポンプ１０００は、モータロータ１１０，２１０が鉄心などのステータコアを介在せずに空間を隔てて直接対向している。すなわち、本実施形態の真空ポンプ１０００は、モータロータ１１０，２１０が直接磁気カップリングを形成する真空ポンプである。ここで、モータロータ１１０，２１０間のクリアランスが大き過ぎると、磁気カップリング力が低下する。本実施形態は、電機子鉄芯１２４とモータロータ１１０，２１０外周との距離をδ１、モータロータ１１０，２１０間の間隙距離をδ０としたとき、δ０≒１〜３δ１程度となっている。これにより、永久磁石１１２，２１２間の吸引力と、モータロータ１１０，２１０と電機子１２２との間の吸引力と、がほぼキャンセルされ、磁気カップリング力が充分大きくなる。
【００２８】
駆動モータ部２００は、１２個の電機子１２２を備える。電機子１２２は、対称線Ｃに関して対称になるように６極ずつ配置される。また、巻線１２６は、対称線Ｃに関して対称な位置において、同相かつ逆向きに電機子鉄芯１２４に巻き回される。駆動モータ部２００は、対称位置の巻線１２６に逆方向の通電を行うことにより、逆相の関係を形成する
。これによって駆動モータ部２００は、１つのモータとして駆動される。駆動モータ部２００は、１つの３相モータとして駆動されるので、駆動電源装置も１つでよい。
【００２９】
図４Ａ〜図９Ａは、図３の結線の電流の流れを示す図である。図４Ｂ〜図９Ｂは、図２の駆動モータの電機子巻線の電流の流れとポンプロータの回転を示す図である。駆動モータ部２００は、モータロータ１１０，２１０の磁極位置に応じて、図４Ａ〜図９Ａの矢印に示すように６通りの通電の切換えを繰り返す。これによって、駆動モータ部２００は、モータロータ１１０，２１０を図４Ｂ〜図９Ｂの矢印の方向に同期反転させて回転を継続する。
【００３０】
なお、モータロータ１１０，２１０の磁極の数、電機子１２２の数、及び、これらの組み合せは、本実施形態で示したものに限定されず、任意である。例えば、モータロータ１１０，２１０の磁極数がそれぞれ４個、電機子１２２の数が６個などであってもよい。
【００３１】
次に、ギヤ３８０，４８０について説明する。図１０は、ギヤの歯間のクリアランスを模式的に示す図である。図１０は、ギヤ３８０，４８０の一部分のみを示している。図１０に示すように、ギヤ３８０の歯３８０ａとギヤ４８０の歯４８０ａとの間のクリアランスは、Ｇ１，Ｇ２に設定される。ここで、ギヤ３８０の歯３８０ａとギヤ４８０の歯４８０ａとの間のクリアランスＧ１，Ｇ２は、ポンプロータ３１２とポンプロータ４１２との間のクリアランスＳ１，Ｓ２と比較すると、Ｇ１，Ｇ２＜Ｓ１，Ｓ２という関係のバックラッシュ寸法になっている。言い換えると、ポンプロータ３１２，４１２及びギヤ３８０，４８０は、Ｇ１，Ｇ２＜Ｓ１，Ｓ２となるように形成される。
【００３２】
本実施形態の真空ポンプ１０００において、モータロータ１１０，２１０は、対向する異磁極で鉄心を介さずに直接マグネットカップリングを形成し、同期して反転するようになっている。このため、ポンプロータ３１２，４１２は、真空ポンプ１０００の運転時に非接触にて同期反転が可能となる。これに加えて、ギヤ３８０，４８０は、相互に接触することなく回転が可能である。そのため、真空ポンプ１０００は、ギヤ３８０，４８０の接触抵抗、グリース、又は、潤滑油の損失を無くすことが可能である。これにより、本実施形態は、ギヤ損失が少ない、高効率であり、高速回転が可能な真空ポンプ１０００を提供することができる。また、真空ポンプ１０００が何らかの理由により異物を吸引した時や、真空ポンプ１０００内部に生成物が付着した時も、ギヤ３８０，４８０がポンプロータ３１２，４１２の接触より先に噛みあう。したがって、本実施形態の真空ポンプ１０００は、ポンプロータ３１２，４１２同士を接触することなしに、ポンプロータ３１２，４１２を同期反転させることができる。
【００３３】
この点について詳細に説明するために、真空ポンプ１０００が微小な固形物を吸引したと仮定する。この場合、固形物がポンプロータ３１２，４１２間に噛み込まれることなどによって、ポンプロータ３１２，４１２の同期ずれが発生するおそれがある。
【００３４】
しかしながら、本実施形態の真空ポンプは、ギヤ３８０，４８０を備えている。ポンプロータ３１２，４１２の同期ずれが発生した場合には、ギヤ３８０，４８０が相互に接触することによってポンプロータ３１２，４１２の同期ずれを解消する。その結果、真空ポンプ１０００は、ポンプロータ同士が接触するのを抑制することができる。
【００３５】
さらに具体的には、真空ポンプ１０００は、ギヤ３８０の歯３８０ａとギヤ４８０の歯４８０ａとの間のクリアランスＧ１，Ｇ２よりも、ポンプロータ３１２とポンプロータ４１２との間のクリアランスＳ１，Ｓ２のほうが大きくなっている。したがって、ポンプロータ３１２，４１２の同期ずれが発生した場合には、ポンプロータ３１２とポンプロータ４１２とが接触する前に、ギヤ３８０とギヤ４８０とが先に接触する。ギヤ３８０とギヤ
４８０とが接触して相互に連れ回ることによって、ポンプロータ３１２，４１２の同期がとられる。その結果、ポンプロータ３１２とポンプロータ４１２は、相互に接触していない状態で同期回転することができる。
【００３６】
これに加えて、本実施形態の真空ポンプは、上述のように、モータロータ１１０，２１０が直接磁気カップリングを形成しており、磁気カップリング力が充分大きい。このため、真空ポンプ１０００が微小な固形物などを吸引していない通常状態では、モータロータ１１０，２１０の磁気カップリング力のみでポンプロータ３１２，４１２が同期回転する。その結果、通常状態では、ギヤ３８０，４８０は、クリアランスＧ１，Ｇ２を保って相互に接触しない。すなわち、ギヤ３８０，４８０は、真空ポンプ１０００が微小な固形物を吸引するなどの非通常状態によってポンプロータ３１２，４１２の同期ずれが発生したときのための非常用の部品である。
【００３７】
通常状態においてギヤ３８０，４８０は、クリアランスＧ１，Ｇ２を保って相互に接触しないので、ギヤ３８０，４８０に求められる強度は比較的小さい。したがって、本実施形態の真空ポンプ１０００によれば、ギヤ３８０，４８０を小型化することができる。また、ギヤ３８０，４８０相互の接触頻度が少なく摩耗し難いため、ギヤ３８０，４８０は、例えば潤滑油などを充填した空間に配置しなくてもよい。
【００３８】
本実施形態において、ギヤ３８０，４８０は、潤滑剤が充填されていない空間であるモータ室６００内に配置される。また、これに限らず、ギヤ３８０，４８０は、潤滑剤が充填されていない空間であるポンプ室５００内に配置されてもよい。ギヤ３８０，４８０は、潤滑剤が充填されていない空間に配置される場合には、潤滑油又はグリースを用いないで使用することができる。また、ギヤ３８０，４８０の少なくとも一方が、テフロン（登録商標）、樹脂などの自己潤滑性のある材料で形成されていてもよい。この場合には、ギヤ３８０，４８０の少なくとも一部分が、自己潤滑性のある材料で形成されてもよい。例えば、歯３８０ａ，４８０ａの少なくとも一部分が、自己潤滑性のある材料で形成されていてもよいし、ギヤ３８０，４８０の少なくとも一方の表面全面、または、ギヤ３８０，４８０同士の接触部分の表面が、自己潤滑性のある材料で形成されてもよい。また、ギヤ３８０，４８０の少なくとも一方は、表面に潤滑剤がコーティングされていてもよい。本実施形態の真空ポンプ１０００によれば、潤滑剤が充填された空間をポンプ室５００及びモータ室６００とは別に設けなくてもよいので、真空ポンプ１０００の構造を簡素化するとともに小型化を実現することができる。
【００３９】
図１１は、一実施形態による、ギヤ３８０、４８０の取り付け構造を示す平面図である。図１２は、図１１に示されるギヤの取り付け構造を矢印１２の方に見た断面図である。一実施形態において、ギヤ３８０、４８０は異なる材料から形成される。一例として、ギヤ３８０は金属から形成され、ギヤ４８０は樹脂から形成される。図１３は、図１１に示されるギヤ４８０を単体で示す平面図である。
【００４０】
図１２、１３に示されるように、ギヤ４８０は複数の歯４８０ａを備えている。上述のようにギヤ４８０の歯４８０ａは、他方のギヤ３８０の歯３８０ａと一定のクリアランスＧ１，Ｇ２を保持した状態で同期して回転するように構成されている。図１２、１３に示されるように、ギヤ４８０は、中心に貫通孔４８４を備える。また、図１１〜１３に示されるギヤ４８０は、表面に複数の溝４８２を備える。溝４８２は、ギヤ４８０の貫通孔４８４から放射状に延びる。
【００４１】
図１２に示されるように、ギヤ４８０は、ネジ６０４によりポンプ主軸４１０に固定される。図１２に示されるように、ギヤ４８０の底面４８１の方にスペーサ６１２が配置され、ギヤ４８０の表面４８３の方に固定板６１０が配置されている。スペーサ６１２の中
心には貫通孔が形成されている。スペーサ６１２の貫通孔およびギヤ４８０の貫通孔４８４の一部にはポンプ主軸４１０が通される。図１２に示されるように、固定板６１０は凸部６１１を備える。固定板６１０の凸部６１１は、ギヤ４８０の貫通孔４８４に配置される。図１２に示されるように、固定板６１０の上には平座金６０８が配置される。固定板６１０および平座金６０８には、ネジ６０４のネジ軸６０４ｂを通すための貫通孔がそれぞれ形成されている。図１２に示されるように、ポンプ主軸４１０にはネジ６０４のネジ軸６０４ｂが挿入される孔が形成されている。図１２に示されるように、ネジ６０４を平座金６０８、固定板６１０およびポンプ主軸４１０の孔に挿入してギヤ４８０をポンプ主軸４１０に対して固定することができる。ギヤ４８０がポンプ主軸４１０に対して固定されるので、ポンプ主軸４１０が回転するとギヤ４８０も回転する。
【００４２】
図１２に示されるように、ポンプ主軸４１０とギヤ４８０との固定を強化するために、平座金６０８と固定板６１０との間、および固定板６１０とギヤ４８０との間に接着剤を適用してもよい。接着剤は、たとえば光硬化性樹脂の接着剤を使用することができる。光硬化性樹脂の接着材を使用することで、迅速にギヤ４８０をポンプ主軸４１０に固定することができる。図１１〜図１３に示される実施形態においては、ギヤ４８０の表面４８３に溝４８２が形成されている。そのため、固定板６１０とギヤ４８０との間に接着剤を使用すると、接着剤がギヤ４８０の溝４８２に入りこみ、より強固に固定板６１０とギヤ４８０とが接着される。たとえば、ギヤ４８０が樹脂製の場合、接着剤を使用していてもギヤ４８０と固定板６１０との間で滑りが生じることがある。ギヤ４８０と固定板６１０との間で滑りが生じると、ポンプ主軸４１０の回転とギヤ４８０の回転にずれが生じ、ギヤ４８０、３８０のクリアランスＧ１，Ｇ２を維持した回転に不具合が生じ得る。しかし、図示の実施形態のように、ギヤ４８０の表面４８３に溝４８２が形成されており、接着剤がギヤ４８０の溝４８２に入りこむことで、ギヤ４８０と固定板６１０との間の滑りを防止し、固定板６１０とギヤ４８０とを強固に接着させることができる。なお、ネジ６０４が緩むのを防止するために、ネジ軸６０４ｂの周りに接着剤を適用してもよい。かかる接着剤は、たとえばアクリル樹脂嫌気性接着剤とすることができる。なお、一実施形態において、上述のようなネジ６０４を使用せずにギヤ４８０をポンプ主軸４１０に固定してもよい。たとえば、ネジ６０４を使用せずに固定板６１０によりポンプ主軸４１０にギヤ４８０を固定するように構成することができる。一例として、固定板６１０をはめ込み、ねじ込み、圧着等によりポンプ主軸４１０に対して固定することを利用して、ギヤ４８０をポンプ主軸４１０に固定してもよい。また、その際に接着剤を使用してもよい。
【００４３】
図１４は、一実施形態による、ギヤ４８０の取り付け構造を示す断面図である。図１５は、図１４に示されるギヤ４８０を単体で示す平面図である。図１５に示されるように、ギヤ４８０は、中心に貫通孔４８４を備える。また、ギヤ４８０は、キー溝４８６を備える。図示のように、キー溝４８６は、貫通孔４８４の一部から半径方向に延びる溝として形成される。図１４に示される実施形態においては、ポンプ主軸４１０は、ギヤ４８０のキー溝４８６に嵌る突起部４１１を備える。ギヤ４８０のポンプ主軸４１０への取り付けは、図１２とともに説明した実施形態と同様とすることができる。図１４、１５に示される実施形態においては、ギヤ４８０のキー溝４８６およびポンプ主軸４１０の突起部４１１の係合により、ポンプ主軸４１０の回転とギヤ４８０の回転とがずれることを防止することができる。
【００４４】
図１６は、一実施形態による、ギヤ４８０の取り付け構造を示す断面図である。図１７は、図１６に示されるギヤ４８０を単体で示す平面図である。図１７に示されるように、ギヤ４８０は、中心に貫通孔４８４を備える。また、ギヤ４８０は、溝４８８を備える。図示のように、溝４８８は、図１３に示される溝４８２と同様に、ギヤ４８０の表面に形成されており、貫通孔４８４の一部から半径方向に延びる溝として形成される。図１６に示される実施形態においては、固定板６１０は、ギヤ４８０の溝４８８に嵌る突起部６１
３を備える。ギヤ４８０のポンプ主軸４１０への取り付けは、図１２とともに説明した実施形態と同様とすることができる。図１６、１７に示される実施形態においては、ギヤ４８０の溝４８８および固定板６１０の突起部６１３の係合により、ギヤ４８０が固定板６１０に対して滑ることを防止することができ、結果として、ポンプ主軸４１０の回転とギヤ４８０の回転とがずれることを防止することができる。
【００４５】
図１８は、一実施形態による、ギヤ４８０の取り付け構造を示す断面図である。図１９は、図１８に示されるギヤ４８０を単体で示す平面図である。図１９に示されるように、ギヤ４８０は、中心に貫通孔４８４を備える。また、図１９に示されるギヤ４８０の表面４８３は粗面加工が施されている。ギヤ４８０のポンプ主軸４１０への取り付けは、図１２とともに説明した実施形態と同様とすることができる。図１８、１９に示される実施形態においては、ギヤ４８０の表面４８３の粗面加工により、接着剤による固定板６１０とギヤ４８０とを強固に接着することができる。そのため、ポンプ主軸４１０の回転とギヤ４８０の回転とがずれることを防止することができる。
【００４６】
図１２、１３に示される実施形態においては、ギヤ４８０に溝４８２に形成する加工をすることで、接着剤を用いた固定板６１０とギヤ４８０との固定を強化している。ギヤ４８０が樹脂製の場合、溝４８２の加工は容易であるため、加工コストを低く抑えることができる。図１４、１５に示される実施形態においては、ギヤ４８０にキー溝４８６を形成し、ポンプ主軸４１０に突起部４１１を形成することで、ポンプ主軸４１０とギヤ４８０とがずれないようにしている。図１４、１５に示される実施形態においては、ギヤ４８０にキー溝４８６およびポンプ主軸４１０に突起部４１１の機械的な係合を利用しているので、ギヤ４８０とポンプ主軸４１０との固定は非常に強固になる。ただし、図１４、１５に示される実施形態においては、ギヤ４８０およびポンプ主軸４１０の両方に加工を施すので、製造コストは高くなりやすい。図１６、１７に示される実施形態においては、ギヤ４８０の溝４８８および固定板６１０の突起部６１３の機械的な係合により、ギヤ４８０が固定板６１０に対して滑ることを防止している。図１６、１７に示される実施形態においては、機械的な係合を利用しているので、ギヤ４８０と固定板６１０との固定は非常に強固になる。ただし、ギヤ４８０および固定板６１０の両方に加工を施すので製造コストは高くなりやすい。図１８、１９に示される実施形態においては、ギヤ４８０の表面４８３の粗面加工により、接着剤による固定板６１０とギヤ４８０とを強固に接着している。図１８、１９に示される実施形態においては、ギヤ４８０の表面４８３を粗面加工しているだけなので、製造コストは低く抑えることができる。
【００４７】
図１１に示される実施形態において、ギヤ３８０は、上述したギヤ４８０と同様の機構によりポンプ主軸３１０に固定することができる。一実施形態において、ギヤ３８０は、金属により形成され、ギヤ４８０を樹脂により形成される。ギヤ３８０が金属製の場合、一般的に、接着剤によりギヤ３８０をポンプ主軸３１０に強固に固定することができる。ギヤ４８０が樹脂製の場合、接着剤による固定では、強固にギヤ４８０をポンプ主軸４１０に固定できない場合があるので、上述の図１１〜図１９で説明したようにギヤ４８０を固定することが有効である。なお、樹脂製のギヤは水分により膨張しやすいので、ギヤ３８０、４８０の両方を樹脂製とすると、クリアランスＧ１，Ｇ２が小さくなりやすいので、ギヤ３８０、４８０の一方は樹脂製ではなく金属製とすることが望ましい。
【００４８】
図２０は、一実施形態による、真空ポンプの製造方法を示すフローチャートである。製造される真空ポンプは、上述の実施形態に任意の特徴を備える真空ポンプとすることができる。たとえば、製造されるポンプは、一対のポンプ主軸３１０、４１０と、ポンプ主軸３１０、４１０に設けられた一対のポンプロータ３１２、４１２と、ポンプ主軸３１０、４１０に設けられ、磁石の異磁極を対向させて直接時期カップリングを形成する一対のモータロータ１１０、２１０と、ポンプロータ３１２、４１２の同期をとるための一対のギ
ヤ３８０、４８０とを有する真空ポンプとすることができる。
【００４９】
一実施形態による真空ポンプの製造方法では、例えば、ポンプケーシングに、対向して配置された一対のポンプ主軸を設置する。その際、一対のポンプ主軸を磁石の異磁極を対向させて直接磁気カップリングを形成する一対のモータロータを接続する。その後に、一対のポンプ主軸に一対のポンプロータを設置するようにする。最後に、一対のポンプロータの同期をとるための一対のギヤを一対のポンプ主軸に設置する。
【００５０】
一実施形態による真空ポンプの製造方法は、ポンプ主軸３１０、４１０のそれぞれにギヤ３８０、４８０を固定する工程を備える。ギヤ３８０、４８０の固定方法は任意であるが、たとえば上述のように、ポンプ主軸３１０、４１０にネジ６０４などで固定される固定板６１０によりギヤ３８０、４８０をギヤ３８０、ポンプ主軸４１０をポンプ主軸３１０、４１０に固定することができる。
【００５１】
たとえば、ギヤ４８０をポンプ主軸４１０に取り付ける方法を説明する。一例として、ギヤ４８０は樹脂製である。ギヤ４８０は、任意の構成とすることができ、たとえば図１３〜図１９とともに上述した任意の構成とすることができる。一実施形態において、ポンプ主軸４１０にギヤ４８０を配置する。たとえば、ポンプ主軸４１０にギヤ４８０の貫通孔４８４を通して、さらに、固定板６１０をギヤ４８０の表面４８３に配置する。このとき、ギヤ４８０の表面４８３と固定板６１０との間に接着剤を付与する。一実施形態において、接着剤は、たとえば光硬化性樹脂の接着剤を使用することができる。
【００５２】
上述の実施形態から少なくとも以下の技術的思想が把握される。
［形態１］形態１によれば、真空ポンプが提供され、かかる真空ポンプは、対向して配置された一対の軸と、前記一対の軸に設けられた一対のポンプロータと、前記一対の軸に設けられ、磁石の異磁極を対向させて直接磁気カップリングを形成する一対のモータロータと、前記一対の軸に設けられ、前記一対のポンプロータの同期をとるための一対のギヤと、を備え、前記一対のギヤの一方は、貫通孔を備え、固定部材により前記一対の軸の一方に固定され、前記一対のギヤの一方の表面には、前記貫通孔から半径方向に延びる溝が形成されている。一実施形態において、ギヤの貫通孔にネジを通し、ネジによりギヤの表面に固定部材を押し圧することで、前記ギヤの一方は前記一対の軸の一方に固定される。
【００５３】
［形態２］形態２によれば、形態１によれる真空ポンプにおいて、前記固定部材は、前記ギヤの前記溝に係合する突起部を有する。
【００５４】
［形態３］形態３によれば、形態１または形態２による真空ポンプにおいて、前記一対の軸の一方は、前記ギヤの前記溝に係合する突起部を有する。
【００５５】
［形態４］形態４によれば、真空ポンプが提供され、かかる真空ポンプは、対向して配置された一対の軸と、前記一対の軸に設けられた一対のポンプロータと、前記一対の軸に設けられ、磁石の異磁極を対向させて直接磁気カップリングを形成する一対のモータロータと、前記一対の軸に設けられ、前記一対のポンプロータの同期をとるための一対のギヤと、を備え、前記一対のギヤの一方は、貫通孔を備え、固定部材により前記一対の軸の一方に固定され、前記一対のギヤの一方の表面は、粗面化されている。一実施形態において、ギヤの貫通孔にネジを通し、ネジによりギヤの表面に固定部材を押し圧することで、前記ギヤの一方は前記一対の軸の一方に固定される。
【００５６】
［形態５］形態５によれば、形態１から形態４のいずれか１つの形態による真空ポンプにおいて、前記ギヤの表面と前記固定部材との間に接着剤の層が存在する。
【００５７】
［形態６］形態６によれば、形態１から形態５のいずれか１つの形態による真空ポンプにおいて、前記一対のギヤの一方は、自己潤滑性のある材料で形成される。
【００５８】
［形態７］形態７によれば、形態１から形態５のいずれか１つの形態による真空ポンプにおいて、前記一対のギヤの一方は、樹脂で形成される。
【００５９】
［形態８］形態８によれば、形態１から形態５のいずれか１つの形態による真空ポンプにおいて、前記一対のギヤの一方は、表面に潤滑剤がコーティングされている。
【００６０】
［形態９］形態９によれば、形態１から形態８のいずれか１つの形態による真空ポンプにおいて、前記一対のギヤの他方は金属製である。
【００６１】
［形態１０］形態１０によれば、形態１から形態９のいずれか１つの形態による真空ポンプにおいて、前記一対のギヤは、相互に非接触となるように前記一対のギヤの歯間のクリアランスが設定されており、前記一対のギヤの歯間のクリアランスは、前記一対のポンプロータ間のクリアランスより小さく設定される。
【００６２】
［形態１１］形態１１によれば、形態１から形態１０のいずれか１つの形態による真空ポンプにおいて、前記一対のモータロータの外周に配置された電機子をさらに備え、前記電機子は、前記一対のモータロータの外周に所定の間隙を保って楕円状に配置される。
【００６３】
［形態１２］形態１２によれば、形態１から形態１１のいずれか１つの形態による真空ポンプにおいて、前記一対のギヤは、潤滑剤が充填されていない空間に配置される。
【００６４】
［形態１３］形態１３によれば、形態１１による真空ポンプにおいて、前記一対のギヤは、前記一対のモータロータが配置されるポンプ室内に配置される。
【００６５】
［形態１４］形態１４によれば、形態１１による真空ポンプにおいて、前記一対のギヤは、前記一対のモータロータが配置されるモータ室内に配置される。
【００６６】
［形態１５］形態１５によれば、対向して配置された一対の軸と、前記一対の軸に設けられた一対のポンプロータと、前記一対の軸に設けられ、磁石の異磁極を対向させて直接磁気カップリングを形成する一対のモータロータと、前記一対の軸に設けられ、前記一対のポンプロータの同期をとるための一対のギヤと、を備え、前記一対のギヤの一方は樹脂から形成され、前記一対のギヤの他方は金属から形成されている、真空ポンプの製造方法が提供され、かかる製造方法は、前記樹脂から形成されたギヤの表面と固定部材との間に接着剤の層を形成して、前記樹脂から形成されたギヤを軸に固定する工程を含む。
【符号の説明】
【００６７】
１１０，２１０  モータロータ
１１２，２１２  永久磁石
１２０，２２０  固定子ヨーク
１２２  電機子
１２４  電機子鉄芯
１２６  巻線
１３０  モータフレーム
２００  駆動モータ部
３００，４００  ポンプロータ部
３１０，４１０  ポンプ主軸
３１２，４１２  ポンプロータ
３８０，４８０  ギヤ
４１１  突起部
４８２  溝
４８６  キー溝
５００  ポンプ室
６００  モータ室
６０４  ネジ
６０８  平座金
６１０  固定板
６１１  凸部
６１２  スペーサ
６１３  突起部
１０００  真空ポンプ
Ｇ１，Ｇ２  クリアランス
Ｓ１，Ｓ２  クリアランス
【図１】
2020067032.tif 000003
【図２】
2020067032.tif 000004
【図３】
2020067032.tif 000005
【図４Ａ】
2020067032.tif 000006
【図４Ｂ】
2020067032.tif 000007
【図５Ａ】
2020067032.tif 000008
【図５Ｂ】
2020067032.tif 000009
【図６Ａ】
2020067032.tif 000010
【図６Ｂ】
2020067032.tif 000011
【図７Ａ】
2020067032.tif 000012
【図７Ｂ】
2020067032.tif 000013
【図８Ａ】
2020067032.tif 000014
【図８Ｂ】
2020067032.tif 000015
【図９Ａ】
2020067032.tif 000016
【図９Ｂ】
2020067032.tif 000017
【図１０】
2020067032.tif 000018
【図１１】
2020067032.tif 000019
【図１２】
2020067032.tif 000020
【図１３】
2020067032.tif 000021
【図１４】
2020067032.tif 000022
【図１５】
2020067032.tif 000023
【図１６】
2020067032.tif 000024
【図１７】
2020067032.tif 000025
【図１８】
2020067032.tif 000026
【図１９】
2020067032.tif 000027
【図２０】
2020067032.tif 000028